(57)【要約】  ファイル、リーマ、およびコンデンサを含み、マージンまたは径方向ランドが欠如している歯内治療機器（１０）。機器（１０）は、著しい組織切断行為を提供しない少なくとも１つの縁（３２、３４）、および少なくとも１つの切断縁（２０、２２、２４）を含む。マージンまたは径方向ランドの排除により、上にわたって歯根管壁が機器（１０）の作業長によって接触される表面積が低減される。
2008501541.tif 000002
【特許請求の範囲】
【請求項１】
長手方向軸線を有する細長いシャフト、前記長手方向軸線に沿って延びる作業長、および前記長手方向軸線の回りに構成された複数の長手領域と、
前記作業長に沿って長手方向に延び、それぞれが前記長手方向軸線から径方向に距離をおいて位置する複数の縁であって、前記複数の縁の隣接対が、前記複数の領域の対応する１つによって相接され、前記複数の縁の少なくとも１つが、約−３０°より負のレーキ角度を有し、前記複数の縁の少なくとも１つが、０°に等しい、または０°より正のレーキ角度を有し、前記複数の縁のそれぞれが、前記長手方向軸線に垂直な軸線方向位置において測定された最大半径を画定する、複数の縁と、を備え、
前記複数の領域が、断面が前記長手方向軸線に垂直に取られることが可能である前記作業長に沿った任意の軸線方向位置において、前記長手方向軸線を中心とする仮想円の内部に径方向に位置し、前記仮想円が、前記最大半径に等しい前記長手方向軸線に垂直に測定された半径を有し、前記複数の縁が、前記複数の領域のそれぞれおよび前記仮想円によって境界を画定される各間隙の面積が前記仮想円の全面積の半分より小さくなるように構成される装置。
【請求項２】
前記複数の縁の中からの少なくとも２つの縁の前記レーキ角度が、０°に等しい、または０°より正である、請求項１に記載の装置。
【請求項３】
前記少なくとも２つの縁が、等しいレーキ角度を有する、請求項２に記載の装置。
【請求項４】
前記少なくとも２つの縁の前記レーキ角度が正である、請求項２に記載の装置。
【請求項５】
前記少なくとも２つの縁が、等しいレーキ角度を有する、請求項４に記載の装置。
【請求項６】
前記少なくとも２つの縁の前記レーキ角度が０°に等しい、請求項２に記載の装置。
【請求項７】
それぞれが前記作業長に沿って長手方向に延びる複数の溝をさらに備え、前記少なくとも２つの縁のそれぞれが、前記複数の溝の対応する１つと前記複数の領域の１つとの間の交差によって画定される、請求項２に記載の装置。
【請求項８】
前記少なくとも２つの縁が、前記作業長の回りの等しくない周囲角度間隔を特徴とする、請求項２に記載の装置。
【請求項９】
前記等しくない角度間隔が、前記作業長に沿った軸線方向位置の関数として変化する、請求項８に記載の装置。
【請求項１０】
前記複数の縁の少なくとも２つの前記レーキ角度が、約−３０°より小さい、請求項１に記載の装置。
【請求項１１】
前記少なくとも２つの縁が、等しいレーキ角度を有する、請求項１０に記載の装置。
【請求項１２】
前記複数の縁の少なくとも１つが、０°より負であり、かつ約−３０°より正であるレーキ角度を有する、請求項１に記載の装置。
【請求項１３】
前記複数の縁の少なくとも１つが丸い、請求項１に記載の装置。
【請求項１４】
前記複数の縁のそれぞれが、前記長手方向軸線に沿ってほぼ直線に延びる、請求項１に記載の装置。
【請求項１５】
前記複数の縁が、前記長手方向軸線の回りに螺旋に巻かれる、請求項１に記載の装置。
【請求項１６】
約−３０°より負のレーキ角度を有する前記複数の縁の前記少なくとも１つが、前記長手方向軸線に沿ってほぼ直線に延び、０°に等しい、または０°より正のレーキ角度を有する前記複数の縁の前記少なくとも１つが、前記長手方向軸線の回りに螺旋に巻かれる、請求項１に記載の装置。
【請求項１７】
約−３０°より負のレーキ角度を有する前記複数の縁の前記少なくとも１つが、前記長手方向軸線の回りに螺旋に巻かれ、０°に等しい、または０°より正のレーキ角度を有する前記複数の縁の前記少なくとも１つが、前記長手方向軸線に沿ってほぼ直線に延びる、請求項１に記載の装置。
【請求項１８】
約−３０°より負のレーキ角度を有する前記複数の縁の前記少なくとも１つが、前記長手方向軸線の回りに螺旋に巻かれ、０°に等しい、または０°より正のレーキ角度を有する前記複数の縁の前記少なくとも１つが、前記長手方向軸線の回りに螺旋に巻かれ、それぞれが異なるピッチを特徴とする、請求項１に記載の装置。
【請求項１９】
０°に等しい、または０°より正のレーキ角度を有する前記複数の縁の前記少なくとも１つが、前記長手方向軸線の回りに螺旋に巻かれ、可変ピッチを特徴とする、請求項１に記載の装置。
【請求項２０】
０°に等しい、または０°より正のレーキ角度を有する前記複数の縁の前記少なくとも１つが、前記作業長の第１部分に沿って延びる、請求項１に記載の装置。
【請求項２１】
約−３０°より負のレーキ角度を有する前記複数の縁の前記少なくとも１つが、作業長全体に沿って延びる、請求項２０に記載の装置。
【請求項２２】
前記作業長が、それぞれがテーパを有する複数のセクションを含む、請求項２１に記載の装置。
【請求項２３】
長手方向軸線を有する加工品から機器を作製する方法であって、
前記加工品の回りの周囲に構成される複数の長手方向に延びる表面を形成し、隣接表面の各対が、約−３０°より負のレーキ角度を特徴とする複数の第１縁の対応する１つにおいて遭遇し、前記長手方向に延びる表面が形成された後、前記加工品にランドがないことと、
前記加工品において１つまたは複数の溝を形成し、前記溝のそれぞれが、０°に等しい、または０°より正のレーキ角度を特徴とする第２縁を画定することとを備える方法。
【請求項２４】
前記１つまたは複数の溝を形成する前に、前記加工品が、前記長手方向軸線と平行に見てほぼ多角形の断面プロファイルを有する、請求項２３に記載の方法。
【請求項２５】
前記加工品が、３角形、４角形、５角形、６角形、７角形、および８角形からなるグループから選択された断面プロファイルを有する、請求項２３に記載の方法。
【請求項２６】
前記１つまたは複数の溝が、前記複数の長手方向に延びる表面と同時に形成される、請求項２３に記載の方法。
【請求項２７】
前記１つまたは複数の溝が、前記複数の長手方向に延びる表面が形成された後に形成される、請求項２３に記載の方法。
【請求項２８】
前記１つまたは複数の溝が、前記複数の長手方向に延びる表面が形成される前に形成される、請求項２３に記載の方法。
【請求項２９】
前記長手方向に延びる表面のそれぞれが、前記長手方向軸線に平行な断面において見るとき、少なくとも１つの曲線を含む、請求項２３に記載の方法。
【請求項３０】
前記１つまたは複数の溝を形成する前に、前記加工品が、前記長手方向軸線と平行に見て、ほぼ卵形の断面プロファイルを有する、請求項２９に記載の方法。
【請求項３１】
前記加工品が、３つ以上の第１縁および第２縁をもたらす、前記長手方向軸線と平行に見て、修正された卵形断面プロファイルを有する、請求項３０に記載の方法。
【発明の詳細な説明】
【技術分野】
【０００１】
本発明は、一般的には、歯科機器に関し、より具体的には歯根管を閉塞する前に、歯根管から歯髄組織および象牙質を摘出する歯内治療機器に関する。
【背景技術】
【０００２】
成功している歯根管治療は、抜歯が必要ではないように、崩壊した、損傷した、または死んだ循環歯髄組織および神経歯髄組織から生じる痛みおよび外傷を有効に緩和する。歯髄室およびその後歯冠歯根管オリフィスが歯根管手続き中にアクセスされた後、歯髄組織は、歯の歯根管から摘出される。ある回りの象牙質も、歯根管の成形において除去される。歯根管が十分に成形されて清浄された後、歯根管を充填して封止するために、シーラントおよび閉塞材料が使用される。手続きを完了するために、歯の歯冠部分のアクセス空洞は、他の感染および崩壊を防止するように、修復手続きを使用して封止される。
【０００３】
様々な歯内治療機器が、歯髄組織および象牙質を歯根管から除去し、閉塞の準備において歯根管を拡大および成形するために使用される。歯根管治療中に摘出に使用される従来の歯内治療リーマまたはファイルは、一般的に、歯根管の効率的な清浄を促進する、研磨表面または先鋭縁を有する薄く柔軟な金属シャフトを含む。歯内治療ファイルの一端のシャンクが、歯科医がつかむように、または歯科ドリルなどの機械デバイスに添付されるように適合される。閉塞材料が、同様の歯内治療機器を使用して、準備された歯根管の中に実装されることが可能である。歯内治療ファイルは、通常、機器の長手方向軸線に沿って歯根管の中および外に回転して移動する。
【０００４】
歯内治療ファイルは、一般的に、非ランドまたはランドとして分類することが可能である。非ランド歯内治療ファイルは、通常、３つ以上の側面、および各側面対間の交点における極度に負のレーキ角の非浸襲性削摩縁を特徴とする作業長を有する。非ランド・ファイルは、製造が比較的簡単であるが、機器は、組織を切断するのではなく、歯根管壁内において歯髄組織を非効率的に押す、または削摩する傾向がある。この非効率的な削摩行為により、追加の応力が機器に加えられ、これにより、機器の破断および破損の発生が増大する。非ランド・ファイルの他の欠点は、切除された歯髄組織が歯冠方向において搬送されて歯根管から除去される代わりに、歯根尖に輸送され、管歯根尖の中に実装される可能性があることである。
【０００５】
一方、ランド歯内治療ファイルは、長手溝および１つまたは複数の湾曲径方向ランド（「マージン」と呼ばれることがある）によって画定された少なくとも１つの組織除去縁を含む作業長を有する。長手方向軸線に垂直に取られた断面が与えられると、各ランドのすべての点は、ファイルの外周上にあり、ファイルの長手方向回転軸から径方向に等距離にある。ランド歯内治療ファイルは、ランドおよび溝を形成するプロセスのために、通常、非ランド歯内治療ファイルより製造が困難でコストがかかる。しかし、ランド歯内治療ファイルは、特に組織除去縁が正のレーキ角度を有する場合、非ランド・ファイルより効率的に歯髄組織を切断することが可能である。さらに、溝は、切除歯髄組織を歯根管から外部に歯冠方向において効率的に捕獲して輸送するために、機器の作業長に沿った経路を提供する。ランド歯内治療ファイルの作業長は、非ランド歯内治療ファイルの作業長より大きい断面積を有する傾向がある。機器が湾曲管において回転する際、より大きな断面積により、より大きな周期疲労が生じ、これにより破断の傾向が増大する可能性がある。
【０００６】
ランド歯内治療ファイル上の径方向ランドは、機器が歯根管において回転するとき、管壁に接触して摩損する担持表面を表す。スライド接触からの摩擦は、熱として散逸し、これにより、機器において応力が誘起され、予期しない破断をもたらす可能性がある。製品寿命の短縮および破損機器を交換するための歯根管治療中の中断に加えて、機器の破断により、患者が不快に感じ、最終的な形状が望ましくないものとなる可能性がある。極端な場合、回収することができない機器の断片により、感染し、最終的には抜歯することになる可能性がある。
【特許文献１】米国特許第６，３１５，５５８号明細書
【発明の開示】
【発明が解決しようとする課題】
【０００７】
したがって、従来のランドおよび非ランドの歯内治療ファイルのこれらの欠点を克服する歯内治療機器が必要である。
【課題を解決するための手段】
【０００８】
本発明は、上述された従来の歯内治療機器の以上および他の欠点および欠陥を克服する。本発明の原理によれば、ある実施形態において歯内治療機器とすることが可能である装置は、長手方向軸線を有する細長いシャフト、長手方向軸線に沿って延びる作業長、および長手方向軸線の回りに構成された複数の長手方向領域を含む。複数の縁が、作業長に沿って長手方向に延びる。縁のそれぞれは、長手方向軸線から径方向に距離をおいて位置し、縁の隣接対は、領域の対応する１つによって作業長に沿って相接または接合される。縁の少なくとも１つは、約−３０°より負のレーキ角度を有し、縁の少なくとも１つは、０°に等しい、または０°より正のレーキ角度を有する。作業長に沿った任意の軸線方向位置において、断面が、長手方向軸線に垂直に取られることが可能である。縁のそれぞれは、長手方向軸線に垂直な軸線方向位置において測定される最大半径を画定する。領域は、軸線方向位置において長手方向軸線を中心とし、最大半径に等しい長手方向軸線に垂直に測定された半径を有する仮想円の内部に径方向に位置する。縁は、各それぞれの領域および仮想円によって境界を画定される各間隙の面積が、仮想円の全面積の半分より小さくなるように構成される。
【０００９】
本発明の歯内治療機器は、ランド機器タイプの正の属性および非ランド機器タイプの正の属性が共に存在し、一方、著しい負の属性が排除または低減されるので、従来の歯内治療機器を改良する。歯内治療機器は、ファセットの形態の複数の長手方向に延びる表面、および実質的に多角形または卵形の断面プロファイルにおいて構成される湾曲表面、ならびに０°に等しい、または０°より正のレーキ角度を有する縁を画定する少なくとも１つの長手方向に延びる溝を特徴とする。隣接ファセットは、約−３０°より負のレーキ角度を有する縁において遭遇する。同様に、卵形の長手方向に延びる表面は、約−３０°より負のレーキ角度を有する最外縁を残す。本発明の歯内治療機器は、管壁と接触する点が縁のみであるように、隣接縁間の径方向ランドまたはマージンが欠如している。すなわち、本発明の歯内治療機器の周囲は、本明細書の他の箇所において画定されるように、回転の表面上にあり、機器の中心線に対して測定される一定半径の弧が欠如している。
【００１０】
本発明の上記および他の目的および利点は、添付の図面および記述から明らかになるであろう。
【００１１】
本明細書に組み込まれ、その一部を構成する添付の図面は、本発明の実施形態を示し、上記において与えられた本発明の全般的な記述、および以下において与えられる実施形態の詳細な記述と共に、本発明の原理を説明するように作用する。
【発明を実施するための最良の形態】
【００１２】
本発明の機器は、リーマ、ファイル、またはコンデンサとして使用することが可能である。本明細書において開示および記述される実施形態のすべてにおいて、機器は、歯根管を清浄および成形するため、または歯冠もしくはブリッジを固定するために使用されるポストの空間を創出するために使用されるリーマまたはファイルとして表される。当業者なら、本明細書において記述される機器は、負の螺旋溝を備えるとき、歯根管がリーマおよびファイルによって摘出されて成形された後、歯根管を充填するために、ガッタ・パーチャなどの閉塞材料を管歯根尖の方へ押すためのコンデンサとして使用することが可能であることを理解するであろう。
【００１３】
図１及び図２を参照すると、参照符号１０によって全体的に示される歯内治療機器は、ベースまたは近位端部１２を有するシャフト１１、点または遠位端部１４、およびシャフト１１の中心線とほぼ位置合わせされた長手方向シャフト軸１７に沿って端部１２と１４との間において延びる細長い作業長１６を含む。シャンク１８が、近位端部１２に位置し、モータ回転歯科ハンドピースのチャックまたはコレットで機器１０をつなぐ、またはつかむように適合され、あるいは代替として、ある形態のハンドグリップで機器１０を手動により操作するように適合される。従来の環境下で歯髄組織および／または象牙質を摘出する切断運動における機器１０の操作は、シャフト軸１７の回りに機器１０を回転させ、同時に、シャフト軸１７に沿って長手方向に機器１０を往復運動させることを含む。
【００１４】
機器１０の作業長１６は、端部１２と１４との間の長手方向において軸１７に沿って長手方向に先細りになり、直径は、遠位端部１４に向かう方向において減少する。代替として、作業長１６は、一定の断面直径またはゼロ・テーパを有することが可能であり、あるいは、遠位端部１４に向かう方向においてわずかに増大する直径を特徴とするテーパを有することが可能である。先細りになる場合、作業長１６の断面直径のテーパは、遠位端部１４から近位端部１２まで測定されるとき、１ミリメートルあたり約−０．０２ミリメートルから１ミリメートルあたり約０．２ミリメートルの範囲とすることが可能である。作業長１６の長さは、非限定的に、約０．５ミリメートルから約２０ミリメートルの範囲とすることが可能である。機器１０の全長は、非限定的に、約１０ミリメートルから約６０ミリメートルの範囲とすることが可能である。遠位端部１４の直径は、非限定的に、約０．０４ミリメートルから約１．５ミリメートルの範囲とすることが可能である。
【００１５】
図２、図３、及び図３Ａを参照すると、歯内治療機器１０の作業長１６に沿って長手方向および線形に、複数の切断縁２０、２２、および２４が延び、それぞれ、対応する複数の長手方向に延びる溝２６、２８、および３０の１つ、ならびに複数の誘導縁３２および３４によって画定される。切断縁２０、２２、および２４、溝２６、２８、および３０、ならびに誘導縁３２および３４は平行である。すなわち、これらは、作業長１６に沿って互いに交差しない経路に沿って延びる。
【００１６】
作業長１６に沿った任意の位置における断面プロファイルは、ほぼ同一であり、図２及び図３において最適に示されている。溝２６、２８、および３０のそれぞれは、２つの平面表面および２つの平面表面を接合する連続湾曲表面から構築される凹形表面２６ａ、２８ａ、および３０ａをそれぞれ含む。凹形表面２６ａ、２８ａ、および３０ａのそれぞれは、作業長１６に沿った長手方向の溝として画定または内接し、それぞれは、切断縁２０、２２、および２４の１つと後縁３６、３７、および３８の対応する１つとの間において延びる。シャフト１１の回転方向において面する凹形表面２６ａ、２８ａ、および３０ａのそれぞれの平面表面は、使用中に回転するとき、切断縁２０、２２、および２４の対応する１つによって終端される切断面を構築する。シャフト１１の回転とは反対の方向において面する凹形表面２６ａ、２８ａ、および３０ａのそれぞれの平面表面は、使用中に回転するとき、後縁３６、３７、および３８の対応する１つによって終端される非切断面を構築する。溝２６、２８、および３０のそれぞれは、シャフト軸１７に平行な観点から見た断面プロファイル、対応する凹形表面２６ａ、２８ａ、および３０ａの至近点までシャフト軸１７から径方向に測定された溝の深さ、ならびに溝２６、２８、および３０が作業長１６に沿って一定の断面積を有すると想定して、溝の断面積と作業長１６の積によって与えられる溝の容積によって特徴付けられる。
【００１７】
引き続き図２、図３、及び図３Ａを参照すると、誘導縁３２は、作業長１６に沿って軸線方向に延びる２つの長手方向に延びる表面部分またはファセット４０および４２の交点において形成される。作業長１６に沿った任意の箇所においてシャフト軸１７に垂直に取られた所与の断面において、切断縁２０および２４ならびに誘導縁３２および３４は、歯内治療機器１０を囲む仮想円４３の上にある。切断縁２０および２４ならびに誘導縁３２および３４は、仮想円４３上の点を画定する。作業長全体１６に沿って、回転表面が、それぞれの断面によって画定される仮想円の無限級数によって生成される。したがって、この回転表面は、作業長１６の最外径方向点と交差する。作業長１６がゼロ・テーパを有する場合、回転表面は円筒であり、または作業長１６が先細りになる場合、回転表面はフラストコニカルである。切断縁２２は、仮想円４３の内部に径方向にあるが、それにもかかわらず、歯内治療機器１０が歯根管の内部においてシャフト軸１７の回りに半時計回りに回転するとき（図３において見られるように）、切断行為を提供することが可能である。
【００１８】
溝２６は、前ファセット４４（図４Ｂにおいてみることができる）を排除し、溝２６を画定する凹形表面２６ａの後縁３６は、ファセット４６の幅を有効に狭くする。作業長１６に沿って軸線方向に、誘導縁３４においてファセット４６と交差する追加のファセット４８が延びる。溝２８は、前ファセット５０（図４Ｂにおいて見ることができる）を排除し、溝２８を画定する凹形表面２８ａの切断縁２２は、ファセット４８の幅を有効に狭くする。溝２８は、ファセット５２の幅も有効に狭くする。溝３０の凹形表面３０ａは、誘導縁６４（図４Ｂにおいて見ることができる）の前位置において切断縁２４を画定するファセット５２と交差し、湾曲表面３０ａがファセット５２と交差する角度のために、前誘導縁を切断縁２４に変形する。溝３０は、前ファセット５４（図４Ｂにおいて見ることができる）を排除し、溝３０を画定する凹形表面３０ａの後縁３８は、ファセット４２の幅を有効に狭くする。
【００１９】
引き続き図２、図３、及び図３Ａを参照すると、切断縁２０および２４のそれぞれは、仮想円４３の上にあるが、本発明は、切断縁２０、２２、および２４のいずれかまたはすべてが仮想円４３の内部に径方向に配置されることが可能であるので、そのように限定されるものではない。明確な任意の逃げ角が、切断縁２０、２２、および２４のそれぞれにおいて仮想円４３に接する線と、ファセット４０、４８、および５２の対応する隣接する１つとの間において画定される。逃げはクリアランスを提供し、管壁に対する摩損を防止する。誘導縁３２および３４のそれぞれは、仮想円４３の上にある。後縁３６、３７、および３８は、誘導縁と空間的に一致しない限り、仮想円４３の内部に径方向に位置する。一致する場合、空間的な一致は、後縁３６、３７、および３８のそれぞれがシャフト１１の回転方向と反対に面するので、交差角度に関係なく、誘導縁を切断縁に変形せず、したがって、切断行為を提供しない。
【００２０】
切断縁２０、２２、および２４ならびに誘導縁３２および３４のそれぞれは、シャフト軸１７に垂直に測定され、かつ作業長１６に沿った任意の軸線方向位置において決定される半径を画定する。半径のセットは、任意の軸線方向位置における最大半径と最小半径との間にわたる。ファセット４０、４２、４６、４８、および５２ならびに凹形表面２６ａ、２８ａ、および３０ａは、シャフト軸１７の回りに構成される複数の長手方向領域を画定する。最大半径における切断縁２０および２４ならびに誘導縁３２および３４の隣接対は、作業長１６の輪郭外周の回りに延びる領域の対応する１つによって任意の軸線方向位置において相接または接合される。任意の軸線方向位置において、これらの領域は、半径のセットの中から最大半径に等しい長手方向軸線１７に対して測定された半径を有する仮想円４３の内部に径方向に位置する。各間隙領域または開空間は、縁２０、２４、３２、および３４の隣接対と縁対間にある仮想円の弧との間において介在ファセットおよび凹形表面によって境界を画定される。
【００２１】
縁２０、２４、３２、および３４ならびに仮想円４３は、任意の軸線方向位置の断面において見るとき、境界が画定した間隙の面積が、仮想円４３の全面積の半分より小さくなるように構成される。すなわち、任意の単一領域によって画定される間隙の面積は、作業長１６に沿った任意の軸線方向位置において作業長１６の動的断面積を５０パーセントを超えて低減することはできない。たとえば、切断縁２０および誘導縁３４は、縁２０と３４との間の領域を集団的に表す凹形表面２６ａおよびファセット４６と仮想表面４３との間において境界が画定される集団間隙の面積が、仮想円４３の全面積の半分より小さくなるように構成される。他の例として、切断縁２４および誘導縁３４は、仮想円４３と、縁２４と３４との間の領域を集団的に表すファセット４８、凹形表面２８ａ、およびファセット５２によって画定される表面との間において境界が画定される集団間隙の面積が、仮想円４３の全面積の半分より小さくなるように構成される。
【００２２】
図３及び図３Ａを参照すると、切断縁２０、２２、および２４のそれぞれは、それぞれの切断縁およびシャフト軸１７によって画定される線と、切断縁２０、２２、および２４の関連する１つに近接する凹形表面２６ａ、２８ａ、および３０ａの対応する１つに平行な線との間において測定される正のレーキ角γによって特徴付けられる。本発明の代替実施形態では、切断縁２０、２２、および２４のそれぞれのレーキ角度は、中立とすることが可能である。本発明の他の実施形態では、切断縁２０、２２、および２４の１つまたは複数のレーキ角度は、中立である。本発明の他の実施形態では、切断縁２０、２２、および２４の１つまたは複数のレーキ角度は、正である。本発明の他の実施形態では、切断縁２０、２２、および２４のそれぞれは、非限定的に正のレーキ角度または中立のレーキ角度によって特徴付けることが可能である。
【００２３】
切断縁２０、２２、および２４のそれぞれの切断行為の効率または積極性は、一般的にレーキ角度がより正になると増大する。一般に、０°に等しい、または０°より正のレーキ角度は、象牙質および歯髄組織を効率的に切断し、切断の効率または積極性は、レーキ角度がより正になると増大する。約−３０°より負のレーキ角度によって特徴付けられる誘導縁３２および３４は、ある組織の削摩行為を提供するが、主に、歯根管内において機器１０を誘導するために存在する。
【００２４】
図３を参照すると、溝２６、２８、および３０の凹形表面２６ａ、２８ａ、および３０ａは、それぞれ、２つの個々の平坦表面または平面表面、および２つの平面表面を接合する連続湾曲表面から構築される。代替として、凹形表面２６ａ、２８ａ、および３０ａの１つまたは複数は、１つまたは複数の平坦セグメントまたは平面セグメント、１つまたは複数の連続湾曲表面、あるいはこの任意の組合せから形成することが可能である。シャフト軸１７から外向きに径方向に測定される各溝２６、２８、および３０の深さは、ほぼ等しい。しかし、本発明は、溝の深さが、様々な溝２６、２８、および３０間において異なることが可能であることを考慮する。溝２６、２８、および３０を導入するために作業長１６から除去された材料の量を反映する溝の容積は、ほぼ同一であるが、本発明は、そのように限定されるものではない。溝２６、２８、および３０は、それぞれ、シャフト軸１７と平行に見たほぼ同一の断面プロファイルによって特徴付けられる。代替として、溝２６、２８、および３０のいくつかまたはすべての断面プロファイルは、異なることが可能である。切断縁２０、２２、および２４は、仮想円４３の回りにおいて測定された曲線分離を反映する等しくない角度間隔α、β、およびθにおいて、作業長１６の周囲の回りに間隔をおいて位置する。本発明は、代替として、切断縁２０、２２、および２４の２つまたはすべてが、等しいまたは一様な角度間隔で間隔をおいて位置することが可能であることを考慮する。
【００２５】
ファセット４０、４２、４４、４６、４８、５０、５２、および５４の特性は、溝２６、２８、および３０が、記述のために歯内治療機器１０から欠如しているかのように特徴付けることが可能である。この想定が適切であるとすると、ファセット４０、４２、４４、４６、４８、５０、５２、および５４は、ほぼ８角形の構成であり、ほぼ平坦または平面であるが、本発明は、凸形が仮想円４３の内部に内接する限り、ファセット４０、４２、４４、４６、４８、５０、５２、および５４の１つまたは複数がわずかに凹形またはわずかに凸形であることが可能であるので、そのように限定されるものではない。代替として、いくつかまたはすべてのファセット４０、４２、４４、４６、４８、５０、５２、および５４は、機器が、図５Ｆ及び図５Ｇに例示される非ランド特性を維持するとすれば、任意の数の卵形の長手方向に延びる表面で置き換えることが可能である。ファセット４０、４２、４４、４６、４８、５０、５２、および５４は、等しい幅を有する。しかし、本発明は、ファセット４０、４２、４４、４６、４８、５０、５２、および５４の２つ以上が等しくない幅を有することが可能であることを考慮する。ファセット４０、４２、４４、４６、４８、５０、５２、および５４の断面プロファイルは、８つの直交平面について鏡面対称性を有する。本発明の代替実施形態では、ファセット４０、４２、４４、４６、４８、５０、５２、および５４の断面プロファイルは、複数の平面について、唯一の平面のみについて鏡面対称性を有することが可能であり、または鏡面対称性を欠如することが可能である。
【００２６】
引き続き図３を参照すると、誘導縁３２および３４ならびに切断縁２０、２２、および２４は、斜角を付けて、または面取りされて示されている。しかし、誘導縁３２および３４は、代替として、歯根管内において機器１０を誘導して中心配置するためにより滑らかな接触を提供するように、誘導縁１２２、１２４、および１２６（図５Ｄ）について示されるように、丸味をつける、または丸くすることが可能である。さらに、切断縁２０、２２、および２４は、切断縁１２８および１３０（図５Ｄ）について示されているように、丸味をつける、または丸くすることが可能である。
【００２７】
溝２６、２８、および３０の湾曲表面は、歯内治療機器１０が歯根管において回転する際、切除された歯髄組織および象牙質を歯冠方向において近位端部１２に向かって、かつ歯根管の外部に効率的に輸送する経路を画定し、これは、従来のランド歯内治療機器の１つの利点を表す。切除された歯髄組織および象牙質を効率的に除去することにより、作業長１６に作用する摩擦が低減され、これにより、トルクが機器１０に加えられる際、破断または破損の可能性が低減される。効率的な歯冠輸送により、切除された歯髄組織および象牙質を管尖に向かって輸送することも低減または排除され、これは、従来のランド歯内治療機器の正の属性または有利な特性である。誘導縁３２および３４は、切断縁２０、２２、および２４の動作によってほぼ排他的に提供される機器１０の切断行為に対して、些少な削摩寄与を行う。対照的に、誘導縁３２および３４は、歯根管内において機器１０を誘導および中心配置するのを助けるように構成される。
【００２８】
図３、図４Ａ、及び図４Ｂを参照すると、本発明の機器１０を製造する方法が示されている。適切な材料の単一部品によって構成される初期加工品６１は、ファセット４０、４２、４４、４６、４８、５０、５２、および５４の形態で長手方向に延びる表面を周囲の回りに追加することによって修正される。例示のために円筒として示されているが、本発明は、加工品６１は、当初、非限定的に任意の形状またはサイズとすることが可能であることを考慮する。８つのファセットが、図４Ａ及び図４Ｂの幾何学的形状の典型において示されているが、当業者なら、３つ以上のファセットが、図３および５Ａ〜図５Ｅにおいて反映されているように、空白についてほぼ多角形の構成を有して形成されることを理解されたい。ファセット４０、４２、４４、４６、４８、５０、５２、および５４は平面として示されているが、本発明は、これらの表面は、平面、わずかに凹形、わずかに凸形、または卵形とすることが可能であることを考慮する。断面において、ファセット４０、４２、４４、４６、４８、５０、５２、および５４の多角形構成は、８角形である閉じた平面図形の境界を画定する。しかし、本発明は、非限定的に３角形、４角形、５角形、６角形、および７角形の構成を含めて、多角形の構成の他の複数側面の閉じた平面図形に適用される。閉じた平面図形は、構成直線および／または曲線の各対の交点において形成された複数の開先角度を有する。しかし、本発明は、断面プロファイルにおける交差する線または曲線の任意の１つまたは複数の対が、図５Ｄ、図５Ｆ、及び図５Ｇにおいて例示されているように、丸い接合部において接合することが可能であることを考慮する。
【００２９】
次いで、溝２６、２８、および３０は、切断縁を画定するために、機器１０に追加される。溝２６、２８、および３０を追加することにより、あるファセットの幅は短縮され、他のファセットは完全に排除される。図示された実施形態では、ファセット４０と４４の交点における誘導縁５６、ならびにファセット５２と５４の交点における誘導縁６４は、溝２６および３０を追加することによって、切断縁２０および２４にそれぞれ変形される。ファセット４４と４６の交点における誘導縁５８、ファセット４８と５０の交点における誘導縁６０、ファセット５０と５２の交点における誘導縁６２、およびファセット４２と５４の交点における誘導縁６６は、溝２６、２８、および３０を追加することによって空白から除去される。ファセット４２、４６、４８、および５２は、溝２６、２８、および３０を追加することによって狭くなる。
【００３０】
引き続き図３、図４Ａ、及び図４Ｂを参照すると、ファセット４０、４２、４６、４８、および５２は、使用中に管壁に接触しないクリアランスまたは逃げの領域を提供する。具体的には、ファセット４０、４２、４６、４８、および５２は、作業長１６と歯根管壁との間において接触が上にわたって存在する仮想円４３に沿って単一半径の弧に対応せず、これは、従来のランド歯内治療機器において観測される歯根管壁を有する径方向ランドまたはマージン間の著しい接触と対照的である。代わりに、ファセット４０、４２、４６、４８、および５２は、クリアランスを歯根管壁に提供するために緩和される。２つの誘導縁３２および３４は、溝２６、２８、および３０が追加された後、依然として存在するが、本発明は、任意の数の溝が追加された後、少なくとも１つの誘導縁が依然としてそのままであるので、そのように限定されるものではない。代替実施形態では、溝２６、２８、および３０は、図４Ｂの製造段階が図４Ａの製造段階の前に行われるように、ファセット４０、４２、４４、４６、４８、５０、５２、および５４が追加される前に形成されることが可能であり、または、上述された特徴のすべてが同時に形成されることが可能である。
【００３１】
初期加工品６１は、管壁をレッジング(ledging)または穿孔せずに非円形歯根管によって画定された湾曲経路に従う十分な柔軟性、および破断せずに歯髄組織を切断および除去する十分な強度を有する任意の材料からなる。適切な材料には、非限定的に、ステンレス・スチール、ニッケル−チタン、または任意の数のプラスチック、複合物、形状記憶合金などがある。当業者なら、従来の機器作製技法が、通常、本発明による機器１０の製造に適用され、様々な既知のまたは後に開発される材料および／または方法と共に適用されることが可能であることを理解するであろう。たとえば、本発明の機器１０のファセット４０、４２、４４、４６、４８、５０、５２、および５４は、マルチパス研削および摩砕によって形成することが可能であり、溝２６、２８、および３０は、ブローチングまたはのこぎり切断によって形成することが可能である。
【００３２】
図５Ａ〜図５Ｇは、特徴の中でも、ファセットの数および形状、ならびに溝の数および形状が異なる本発明の代替実施形態を示す。各個々の実施形態において、最大半径における誘導縁および切断縁の隣接対間の介在ファセットおよび凹形表面と、仮想円４３とによって画定される間隙の面積は、仮想円４３の全面積の半分より小さい。
【００３３】
同じ参照符号が図３の同じ特徴を指し、本発明の代替実施形態による図５Ａを参照すると、歯内治療機器１０ａの作業長１６は、誘導縁６４ならびに溝６６および６８の対を備え、溝６６および６８はそれぞれ、正のレーキ角をそれぞれが有する切断縁７１および７０をそれぞれ画定する、対応する連続湾曲凹形表面６６ａおよび６８ａを有する。軸１７と平行に見ると、歯内治療機器１０ａは、ほぼ３角形の断面プロファイルを有する。切断縁７０および７１は、上述されたように、誘導縁の前位置において画定される。機器１０ａは、ファセット７２、７４、および７６を含み、そのうち、ファセット７２および７４の横方向幅は、それぞれ、溝６６および６８が存在することによって短縮される。誘導縁６４は、短縮幅ファセット７４と完全幅ファセット７６の交点において画定される。溝６６および６８の存在を無視すると、ファセット７２、７４、および７６は、幅がほぼ同一であり、わずかに凸形であり、仮想円４３の内部に内接し、３つの直交平面について断面において鏡面対称性を有する。溝６６および６８の寸法および特徴は、ほぼ同一である、または同一ではないことが可能である。
【００３４】
同じ参照符号が図３と同じ特徴を指し、本発明の代替実施形態による図５Ｂを参照すると、歯内治療機器１０ｂの作業長１６は、２つの誘導縁８０および８２ならびに２つの切断縁８４および８６を備え、切断縁８４および８６はそれぞれ、溝８８および９０の対の１つによってそれぞれ画定され、それぞれ、２つの交差平面表面から形成された凹形表面８８ａおよび９０ａを有する。軸１７と平行に見ると、歯内治療機器１０ｂは、正方形としてほぼ成形された断面プロファイルを有する。本発明は、歯内治療機器１０ｂの断面プロファイルが、非限定的に任意の４角形とすることが可能であることを考慮する。切断縁８４は、中立のレーキ角度によって特徴付けられ、一方、切断縁８６は、負のレーキ角度によって特徴付けられる。溝の深さ、溝の容積、およびシャフト軸１７と平行に見た断面プロファイルは、溝８８および９０について異なる。溝８８および９０の存在を無視すると、ファセット９２、９４、９６、および９８は、幅がほぼ同一であり、わずかに凹の曲率を有し、４つの直交平面の断面において鏡面対称性を有する。
【００３５】
同じ参照符号が図３と同じ特徴を指し、本発明の代替実施形態による図５Ｃを参照すると、歯内治療機器１０ｃの作業長１６は、１つの平面表面および１つの連続湾曲表面から構築された凹形表面１０２ａを有する溝１０２によって画定された１つの切断縁１００、ならびに４つの誘導縁１０４、１０６、１０８、および１１０を備える。切断縁１００のレーキ角度は、中立である。軸１７と平行に見ると、歯内治療機器１０ｃは、ほぼ５角形の断面プロファイルを有する。溝１０２の存在を無視すると、ファセット１１２、１１４、１１６、１１８、および１２０は、幅が異なり、鏡面対称性が欠如している。ファセット１１２、１１６、および１２０は、わずかに凹形であり、ファセット１１８はわずかに凸形であり、ファセット１１４は、ほぼ平面である。
【００３６】
同じ参照符号が図３と同じ特徴を指し、本発明の代替実施形態による図５Ｄを参照すると、歯内治療機器１０ｄの作業長１６は、３つの丸い誘導縁１１２、１２４、および１２６、ならびに１対の溝１３２および１３４の１つによってそれぞれ画定される２つの切断縁１２８および１３０を備える。切断縁１２８は、正のレーキ角度を有し、切断縁１３０は、負のレーキ角度を有する。軸１７と平行に見ると、歯内治療機器１０ｄは、ほぼ６角形の断面プロファイルを有する。溝の深さ、溝の容積、およびシャフト軸１７と平行に見た断面プロファイルは、溝１３２および１３４について異なる。溝１３２は、２つの平面表面、および連続湾曲表面から構築された凹形表面１３２ａから形成され、対照的に、溝１３４は、２つの連続湾曲表面および３つの平面表面から構築された凹形表面１３４ａを有する。溝１３２および１３４の存在を無視すると、ファセット１３６、１３８、１４０、１４２、１４４、および１４６は、幅がほぼ等しく、６つの直交平面について断面において鏡面対称性を有する。
【００３７】
同じ参照符号が図３と同じ特徴を指し、本発明の代替実施形態による図５Ｅを参照すると、歯内治療機器１０ｅの作業長１６は、５つの溝１５８、１６０、１６２、１６４、および１６６の１つによってそれぞれ画定される５つの切断縁１４８、１５０、１５２、１５４、および１５６、ならびに２つの誘導縁１６８および１７０を備える。切断縁１４８および１５０は、正のレーキ角度を有し、切断縁１５４は、中立のレーキ角度を有し、切断縁１５２および１５６は、負のレーキ角度を有する。軸１７と平行に見ると、歯内治療機器１０ｅは、ほぼ７角形の断面プロファイルを有する。溝の深さ、溝の容積、およびシャフト軸１７と平行に見た断面プロファイルは、溝１５８、１６０、１６２、１６４、および１６６間において異なる。溝１５８は、連続湾曲凹形表面１５８ａを有して構築される。溝１６０は、１つの連続湾曲表面および１つの平面表面から構築された凹形表面１６０ａを有する。溝１６２および１６６は、それぞれ、２つの交差平面表面から形成される。溝１６４は、複数の連続湾曲表面および平面表面から形成される。溝１５８、１６０、１６２、１６４、および１６６の存在を無視すると、ファセット１７２、１７４、１７６、１７８、１８０、１８２、および１８４は、幅が異なり、ほぼ平面であり、任意の直交平面において鏡面対称性が欠如している。
【００３８】
同じ参照符号が図３と同じ特徴を指し、本発明の代替実施形態による図５Ｆを参照すると、歯内治療機器１０ｆの作業長１６は、誘導縁３５０、および正のレーキ角度を有する切断縁３５４を画定する対応する連続湾曲凹形表面３５２ａを有する溝３５２を備える。軸１７と平行に見ると、歯内治療機器１０ｆは、ほぼ卵形の断面プロファイルを有する。切断縁３５４は、上述されたように、誘導縁の前位置において画定される。湾曲表面３５６は、溝３５２によって分割される。湾曲表面３５８および３５６は、断面の１つの領域を画定するために、平面表面３６０によって１側面上において接続され、また、湾曲表面３５６の残りのセクションおよび溝表面３５２ａと組み合わされるとき、断面の他の領域を画定する湾曲表面３６２によって他の表面上において接続される。誘導縁３５０は、軸１７から最も離れている湾曲表面３５８の上の点によって画定される。湾曲表面３５８、３５６、および３６２は、実質的に等しくないが、本発明は、これらの曲線の２つまたはすべてがほぼ等しいことが可能であることを考慮する。溝３５２の存在を無視すると、各湾曲表面３５６および３５８は、単一の点において仮想円４３と接触する。図５Ｆに示された断面は、任意の直交平面において鏡面対称性が欠如している。
【００３９】
同じ参照符号が図３と同じ特徴を指し、本発明の代替実施形態による図５Ｇを参照すると、歯内治療機器１０ｇの作業長１６は、２つの誘導縁３７０および３７２、ならびに正のレーキ角度を有する切断縁３７６を画定する対応する連続湾曲凹形表面３７４ａを有する溝３７４を備える。軸１７と平行に見ると、歯内治療機器１０ｇは、全体的に修正された卵形の断面プロファイルを有する。切断縁３７６は、上述されたように、誘導縁の前位置において画定される。湾曲表面３７８は、溝３７４によって分割される。機器１０ｇは、すべて接続される湾曲表面３７８、３８０、３８２、３８４、３８６、３８８、３９０、および３９２を含む。湾曲表面３７８および３８２のそれぞれのセクションは、１つの領域を画定するように、湾曲表面３８０および３８８によって接続される。同様に、湾曲表面３８２および３８６のそれぞれのセクションは、他の領域を画定するように、湾曲表面３８４および３９０によって接続される。湾曲表面３７８および３８６の残りのセクションは、断面の最終領域を画定するように、湾曲表面３９２および溝表面３７４ａと組み合わされる。誘導縁３７０および３７２は、軸１７から最も離れている湾曲表面３８２および３８６の上の点によってそれぞれ画定される。湾曲表面３７８および３８６はほぼ等しく、湾曲表面３８０および３８４はほぼ等しく、湾曲表面３８８、３９０、および３９２はほぼ等しいが、各特定のグループは他とは異なり、すべて、湾曲表面３８２とは異なる。溝３７４の存在を無視すると、各湾曲表面３７８、３８２、および３８６は、単一の点において仮想円４３と接触する。誘導縁３７０および３７２、ならびに切断縁３７６は、等しくない角度間隔α‘‘、β‘‘、およびθ‘‘において作業長１６の周囲の回りに間隔をおいて位置し、したがって、図５Ｇに示された断面は、任意の直交平面において鏡面対称性を欠いている。
【００４０】
溝の数、したがって切断縁の数は、約−３０°より負のレーキ角度を有する少なくとも１つの誘導縁が維持される限り、図５Ａ〜図５Ｇに示された本発明の様々な実施形態の間において修正することが可能である。ファセットおよび湾曲表面は、誘導縁を介してのみ歯根管壁と接触する。したがって、機器１０にはランドが欠如しているので、歯根管壁と接触する機器１０の部分は、切断縁および誘導縁のみである。
【００４１】
機器１０は、図３、図４Ｂ、及び図５Ａ〜図Ｇの観点からシャフト軸１７に沿って見て反時計回りに回転するとき、摘出のためにリーマまたはファイルとして使用することが可能であることを理解されたい。機器１０は、摘出された歯根管を充填するために、ガッタ・パーチャなどの閉塞材料を管尖に向かって押すコンデンサとして使用するように、図６、図７及び図９の鏡像である負の螺旋溝を有して構成することが可能である。
【００４２】
同じ参照符号が図１〜図４と同じ特徴を指し、代替実施形態による図６を参照すると、歯内治療機器１８６は、作業長１６をねじることによって機器１０から形成することが可能であり、それにより、ファセット４０、４２、４６、４８、および５２、ならびに溝２６、２８、および３０は、ピッチによって特徴付けられる螺旋または渦巻きの関係を担う。螺旋のファセットおよび溝のピッチは、当業者なら理解するように、一定であることが可能であり、または変化することが可能である。機器１８６は、図１に示されるように、直線軸のファセットおよび溝を創出し、次いで、当業者なら理解するように、ファセット４０、４２、４６、４８、および５２、ならびに溝２６、２８、および３０を螺旋または渦巻きの構成にねじるために、機器１０をねじることによって製造することが可能である。ねじれ歯内治療機器を製造する技法が、一般的に譲渡されている米国特許第６，３１５，５５８号明細書において開示されており、この開示の全体は、本願明細書に参照文献として援用されている。ねじり後、歯内治療機器１８６の断面プロファイルは、作業長１６に沿った任意の軸線方向位置における歯内治療機器１０（図３）の断面プロファイルとほぼ同一である。代替として、ファセット４０、４２、４６、４８、および５２、ならびに／あるいは溝２６、２８、および３０の一方または両方は、ねじり後の特徴として形成することが可能である。たとえば、溝２６、２８、および３０は、シャフト１１がねじられる前に形成することが可能であり、ファセット４０、４２、４６、４８、および５２は、ねじり後に形成することが可能である。本発明は、代替実施形態において、歯内治療機器１８６が、図５Ａ〜図５Ｇに示された断面プロファイルのいずれかに基づいた構成を有することが可能であることを考慮する。
【００４３】
同じ参照符号が図１〜図４及び図６の同じ特徴を指し、代替実施形態による図７、図７Ａ、及び図７Ｂを参照すると、歯内治療機器１８８は、溝２６、２８、および３０（図１〜図３）と同様の複数の長手方向に延びる溝１９０、１９２、および１９４、ならびにファセット４０、４２、４４、４６、４８、５０、５２、および５４（図１〜図４）と同様の複数のファセット１９６、１９８、２００、２０２、２０４、２０６、２０８、および２１０を含む。溝１９０、１９２、および１９４のそれぞれは、切断縁２０、２２、および２４（図１〜図３）と同様の対応する複数の切断縁２１２、２１４、および２１６の１つを画定する。軸１７に沿って、誘導縁３２、３４、５６、５８、６０、６２、６４、および６６（図４Ｂ）と同様の複数の誘導縁２１８、２２０、２２２、２２４、２２６、２２８、２３０、および２３２が延び、それぞれ、同一の広がりを持つ隣接ファセット１９６、１９８、２００、２０２、２０４、２０６、２０８および２１０の交点において画定される。本発明は、代替実施形態において、歯内治療機器１８８は、図５Ａ〜図５Ｇに示された断面プロファイルのいずれかに基づいた構造を有することが可能であることを考慮する。
【００４４】
ファセット１９６、１９８、２００、２０２、２０４、２０６、２０８、および２１０、ならびにしたがって誘導縁２１８、２２０、２２２、２２４、２２６、２２８、２３０、および２３２は、一定のゼロ度螺旋角度、およびしたがって一定のピッチを有する。図７において最適に明らかであるように、溝１９０、１９２、および１９４、ならびにしたがって切断縁２１２、２１４、および２１６は、歯内治療機器１８８の作業長１６に沿って螺旋角度およびピッチが軸線方向に変化する渦巻きまたは螺旋構成で、作業長１６の回りに巻かれる。ファセット１９６、１９８、２００、２０２、２０４、２０６、２０８、および２１０は、作業長１６に沿って線形に延び、作業長１６の回りに巻かれている溝１９０、１９２、および１９４によって周期的に断続される。これにより、誘導縁２１８、２２０、２２２、２２４、２２６、２２８、２３０、および２３２の断続性が得られる。作業長１６に沿った任意の軸線方向位置において、溝１９０、１９２、および１９４の角度配向に依存する誘導縁２１８、２２０、２２２、２２４、２２６、２２８、２３０、および２３２の特定の組合せが、作業長１６の断面プロファイルにおいて現われる。
【００４５】
歯内治療機器１８８の断面プロファイルは、溝１９０、１９２、および１９４、ならびにファセット１９６、１９８、２００、２０２、２０４、２０６、２０８、および２１０の異なる螺旋角度のために、作業長１６に沿った軸線方向位置に対する依存性を示す。図７Ａに示される第１軸線方向位置において、歯内治療機器１８８の断面プロファイルは、図３の外見と同様の外見を有する。誘導縁２２０および２３０は、溝１９０、１９２、および１９４のこの角度配向の断面プロファイルにおいて観測される。図７Ｂに示される第２位置において、溝１９０、１９２、および１９４は、角度δにより軸１７の回りに有効に回転した。誘導縁２２６および２３２は、溝１９０、１９２、および１９４のこの角度配向の断面プロファイルにおいて観測される。しかし、作業長１６に沿った任意の軸線方向位置において、各軸線方向位置に存在する切断縁２１２、２１４、および２１６、ならびに特定の誘導縁２１８、２２０、２２２、２２４、２２６、２２８、２３０、および２３２は、仮想円４３の上または内部にあるという要件を前提とする。歯内治療機器１８８の様々な断面プロファイルは、作業長１６に沿って繰り返すことが可能である。
【００４６】
図７を参照すると、代替実施形態では、歯内治療機器１８８のファセット１９６、１９８、２００、２０２、２０４、２０６、２０８、および２１０は、溝１９０、１９２、および１９４より長い距離、遠位端部１４に向かう方向においてシャフト１１を任意選択で延ばすことが可能である。この距離にわたって、切断縁２１２、２１４、および２１６は存在せず、図７において点線によって示されるように、誘導縁２１８、２２０、２２２、２２４、２２６、２２８、２３０、および２３２のみが存在する。ファセット１９６、１９８、２００、２０２、２０４、２０６、２０８、および２１０がシャフト１１まで延びる程度は、図７に示される距離より小さい、または図７に示される距離より大きいことが可能である。ある特定の実施形態では、歯内治療機器１８８のファセット１９６、１９８、２００、２０２、２０４、２０６、２０８、および２１０は、シャフト１１の全長にわたって延びることが可能である。
【００４７】
同じ参照符号が図１〜図４及び図６の同じ特徴を指し、代替実施形態による図８Ａ及び図８Ｂを参照すると、歯内治療機器２３８は、溝２６、２８、および３０（図１〜３）と同様の複数の長手方向に延びる溝２４０、２４２、および２４４、ならびにファセット４０、４２、４４、４６、４８、５０、５２、および５４（図１〜４）と同様の複数のファセット２４６、２４８、２５０、２５２、２５４、２５６、２５８、および２６０を含む。溝２４０、２４２、および２４４のそれぞれは、切断縁２０、２２、および２４（図１〜図３）と同様の、対応する複数の切断縁２６２、２６４、および２６６の１つを画定する。軸１７に沿って、誘導縁３２、３４、５６、５８、６０、６２、６４、および６６（図４Ｂ）と同様の複数の誘導縁２６８、２７０、２７２、２７４、２７６、２７８、２８０、および２８２が延び、それぞれ、同一の広がりを持つ隣接ファセット２４６、２４８、２５０、２５２、２５４、２５６、２５８、および２６０の交点において画定される。誘導縁の中で、縁２６８および２７８は、それぞれ、溝２４０および２４４によって切断縁２６２および２６６に変形され、作業長１６に沿った他の軸線方向位置において取られた断面プロファイルの特徴として観測されることが可能であることを理解されたい。本発明は、代替実施形態において、歯内治療機器２３８は、図５Ａ〜図５Ｇに示された断面プロファイルのいずれかに基づいた構造を有することが可能であることを考慮する。
【００４８】
溝２４０、２４２、および２４４、ならびにしたがって切断縁２６２、２６４、および２６６は、一定のゼロ度螺旋角度、したがって一定のピッチを有する。ファセット２４６、２４８、２５０、２５２、２５４、２５６、２５８、および２６０、ならびにしたがって誘導縁２６８、２７０、２７２、２７４、２７６、２７８、２８０、および２８２は、歯内治療機器１８８の作業長１６に沿って螺旋角度およびピッチが軸線方向において変化する渦巻きまたは螺旋の構成で、作業長１６の回りに巻かれる。溝２４０、２４２、および２４４は、作業長１６に沿って線形に延び、作業長１６の回りに巻かれているファセット２４６、２４８、２５０、２５２、２５４、２５６、２５８、および２６０によって連続的に変化する。作業長１６に沿った任意の軸線方向位置において、ファセット２４６、２４８、２５０、２５２、２５４、２５６、２５８、および２６０の角度配向に依存する誘導縁２６８、２７０、２７２、２７４、２７６、２７８、２８０、および２８２の特定の組合せが、作業長１６の断面プロファイルにおいて現われる。
【００４９】
歯内治療機器２３８の断面プロファイルは、溝２４０、２４２、および２４４、ならびにファセット２４６、２４８、２５０、２５２、２５４、２５６、２５８、および２６０の異なる螺旋角度のために、作業長１６に沿った軸線方向位置に対する依存性を示す。図８Ａに示される第１軸線方向位置において、歯内治療機器２３８の断面プロファイルは、図３の外見と同様の外見を有する。誘導縁２７２および２８２は、溝２４０、２４２、および２４４が他の誘導縁を排除しているので、ファセット２４６、２４８、２５０、２５２、２５４、２５６、２５８、および２６０のこの角度配向の断面プロファイルにおいて観測される。図８Ｂに示される第２位置において、ファセット２４６、２４８、２５０、２５２、２５４、２５６、２５８、および２６０は、角度εにより軸１７の回りに有効に回転した。誘導縁２６８、２７４、および２７８は、他の誘導縁がこの軸位置において存在しないので、ファセット２４６、２４８、２５０、２５２、２５４、２５６、２５８、および２６０のこの角度配向の断面プロファイルにおいて観測される。しかし、作業長１６に沿った任意の軸線方向位置において、各軸線方向位置に存在する切断縁２６２、２６４、および２６６、ならびに特定の誘導縁２６８、２７０、２７２、２７４、２７６、２７８、２８０、および２８２は、仮想円４３の上または内部にあるという要件を前提とする。
【００５０】
同じ参照符号が図１〜図４及び図６の同じ特徴を指し、代替実施形態による図９、図９Ａ及び図９Ｂを参照すると、歯内治療機器２８８は、溝２６、２８、および３０（図１〜図３）と同様の複数の長手方向に延びる溝２９０、２９２、および２９４、ならびにファセット４０、４２、４４、４６、４８、５０、５２、および５４（図１〜図４）と同様の複数のファセット２９６、２９８、３００、３０２、３０４、３０６、３０８、および３１０を含む。溝２９０、２９２、および２９４のそれぞれは、切断縁２０、２２、および２４（図１〜３）と同様の対応する複数の切断縁３１２、３１４、および３１６の１つを画定する。軸１７に沿って、誘導縁３２、３４、５６、５８、６０、６２、６４、および６６（図４Ｂ）と同様の複数の誘導縁３１８、３２０、３２２、３２４、３２６、３２８、３３０、および３３２が延び、それぞれ、同一の広がりを持つ隣接ファセット２９６、２９８、３００、３０２、３０４、３０６、３０８、および３１０の交点において画定される。本発明は、代替実施形態において、歯内治療機器２８８が、図５Ａ〜５Ｇに示された断面プロファイルのいずれかに基づいた構造を有することが可能であることを考慮する。
【００５１】
ファセット２９６、２９８、３００、３０２、３０４、３０６、３０８、および３１０、ならびにしたがって誘導縁３１８、３２０、３２２、３２４、３２６、３２８、３３０、および３３２は、第１螺旋角度およびピッチによって特徴付けられる。図９において最適に明らかであるように、溝２９０、２９２、および２９４、したがって切断縁３１２、３１４、および３１６は、歯内治療機器２８８の作業長１６に沿って螺旋角度およびピッチが軸線方向において変化する渦巻きまたは螺旋の構成で、作業長１６の回りに巻かれる。ファセット２９６、２９８、３００、３０２、３０４、３０６、３０８、および３１０は、ファセット２９６、２９８、３００、３０２、３０４、３０６、３０８、および３１０の第１螺旋角度およびピッチとは異なる第２螺旋角度およびピッチによって特徴付けられる。図９において再び最適に明らかであるように、ファセット２９６、２９８、３００、３０２、３０４、３０６、３０８、および３１０は、歯内治療機器２８８の作業長１６に沿って螺旋角度およびピッチが軸線方向に変化する渦巻きまたは螺旋の構成で、作業長１６の回りに巻かれる。具体的には、ファセット２９６、２９８、３００、３０２、３０４、３０６、３０８、および３１０の螺旋角度は、端部１２および１４のそれぞれの付近において作業長１６のセクションにわたって正であり、作業長１６の中心セクションの付近において負である。作業長１６に沿った任意の軸線方向位置において、溝２９０、２９２、および２９４、ならびにファセット２９６、２９８、３００、３０２、３０４、３０６、３０８、および３１０の相対角度配向に依存する誘導縁３１８、３２０、３２２、３２４、３２６、３２８、３３０、および３３２の特定の組合せが、作業長１６の断面プロファイルにおいて現われる。
【００５２】
歯内治療機器２８８の断面プロファイルは、溝２９０、２９２、および２９４、ならびにファセット２９６、２９８、３００、３０２、３０４、３０６、３０８、および３１０の可変螺旋角度およびピッチのために、作業長１６に沿った軸線方向位置に対する依存性を示す。図９Ａに示される第１軸線方向位置において、歯内治療機器２８８の断面プロファイルは、図３の外見と同様の外見を有する。誘導縁３２０および３３０は、溝２９０、２９２、および２９４のこの角度配向の断面プロファイルにおいて観測される。図９Ｂに示される第２軸線方向位置において、溝２９０、２９２、および２９４は、角度κにより軸１７の回りに実際に回転し、ファセット２９６、２９８、３００、３０２、３０４、３０６、３０８、および３１０は、角度λにより回転した。誘導縁３２６および３３２は、溝２９０、２９２、および２９４のこの角度配向の断面プロファイルにおいて観測される。しかし、作業長１６に沿った任意の軸線方向位置において、各軸線方向位置に存在する切断縁３１２、３１４、および３１６、ならびに特定の誘導縁３１８、３２０、３２２、３２４、３２６、３２８、３３０、および３３２は、仮想円４３の上または内部にあるという要件を前提とする。歯内治療機器２８８の様々な断面プロファイルは、作業長１６に沿って繰り返すことが可能である。
【００５３】
同じ参照符号が図１〜図４及び図６の同じ特徴を指し、代替実施形態による図１０Ａおよび１０Ｂを参照すると、歯内治療機器３６０は、溝３６３、３６５、および３６７によって画定される切断縁３６２、３６４、および３６６、ならびに複数の誘導縁を含み、そのうち誘導縁３６８および３７０は、作業長１６に沿った第１軸線方向位置において図１０Ａにおいて見ることができ、誘導縁３６８および３７２は、作業長に沿った第２軸線方向位置において図１０Ｂにおいて見ることができる。他の誘導縁（図示せず）は、歯内治療機器３６０の作業長１６に沿った異なる位置の断面プロファイルにおいて見ることが可能である。誘導縁３６８は、ファセット３７４と３７６の交点において画定され、誘導縁３７０は、ファセット３７８と３８０の交点において画定され、誘導縁３７２は、ファセット３８２と３８４の交点において画定される。
【００５４】
切断縁３６２、３６４、および３６６は、等しくない角度間隔において作業長１６の周囲の回りに間隔をおいて位置し、特定の角度間隔は、断面プロファイルが作業長１６に沿って取られる軸線方向位置に依存する。図１０Ａに示された作業長１６に沿った１つの代表的な位置において、切断縁３６２、３６４、および３６６は、α、β、およびθの角度間隔だけ分離される。図１０Ｂに示されるように作業長１６に沿って画定された異なる代表的な位置において、切断縁３６２、３６４、および３６６は、α、β、およびθとは異なるα‘、β‘、およびθ‘の角度間隔だけ分離される。これらの角度間隔は、作業長１６に沿った任意の数の値を想定することを理解されたい。切断縁３６２、３６４、および３６６の周方向位置における角度変化は、作業長１６において形成される非平行な溝３６３、３６５、および３６７から得られる。本発明は、代替実施形態において、歯内治療機器３６０は、図５Ａ〜５Ｇに示された断面プロファイルのいずれかに依存した構造を有することが可能であることを考慮する。
【００５５】
図１１を参照すると、歯内治療機器３３４は、それぞれ端部１２と１４との間において、複数の先細りセクション３３８、３４０、および３４２、ならびにゼロ・テーパ・セクション３４４を有する作業長３３６を含む。先細りセクション３３８は、正のテーパを有し、先細りセクション３４０と連続し、先細りセクション３４０は、より正ではないテーパを有し、先細りセクション３４２と連続し、先細りセクション３４２は、負のテーパを有し、ゼロ・テーパ・セクション３４４と連続するが、本発明は、そのように限定されるものではない。先細りセクション３３８は、作業長３３６の周囲の回りに構成された複数の溝を組み込み、そのうち溝３４６のみを見ることができる。例としてであって限定としてではなく、先細りセクション３３８は、約０．ｌｍｍ／ｍｍのテーパが与えられることが可能であり、先細りセクション３４０は、約０．０３ｍｍ／ｍｍのテーパを有することが可能であり、先細りセクション３４２は、−０．０４ｍｍ／ｍｍのテーパを有することが可能である。様々な異なる実施形態において、セクション３３８は、本明細書において前述された幾何学的構成のいずれかを有することが可能であり、セクション３４０、３４２、および３４４は、本明細書において前述された幾何学的構成のいずれかに基づいた任意の組合せのファセットおよび湾曲表面のみを含むことが可能である。
【００５６】
本発明は、様々な実施形態の記述によって示され、これらの実施形態は、かなり詳細に記述されたが、添付の請求項の範囲をそのような詳細に制約する、またはあらゆる方式において限定することは、本出願人の意図することではない。追加の利点および修正が、当業者には容易に明らかになるであろう。たとえば、本発明の機器は、移植用または形成手術において、外部コンパクト／皮室組織によって囲まれた柔軟な内部海綿状組織を有する骨の準備など、非歯科の応用分野に使用することが可能である。したがって、より広範な態様における本発明は、図示および記述された特定の詳細、代表的な装置および方法、ならびに例示的な例に限定されない。したがって、本出願人の全般的な本発明の原理の精神または範囲から逸脱せずに、そのような詳細から離れることが可能である。
【図面の簡単な説明】
【００５７】
【図１】本発明による歯内治療機器の側面図である。
【図２】明瞭にするために先端がない図１の歯内治療機器の斜視図である。
【図３】図２の線３−３に沿って全体的に取られた断面図である。
【図３Ａ】図３の一部の拡大図である。
【図４Ａ】図３の製作段階に先行する歯内治療機器の製作段階における図３と同様の断面図である。
【図４Ｂ】図３の製作段階に先行する歯内治療機器の製作段階における図３と同様の断面図である。
【図５Ａ】本発明の代替実施形態による歯内治療機器の図３と同様の断面図である。
【図５Ｂ】本発明の代替実施形態による歯内治療機器の図３と同様の断面図である。
【図５Ｃ】本発明の代替実施形態による歯内治療機器の図３と同様の断面図である。
【図５Ｄ】本発明の代替実施形態による歯内治療機器の図３と同様の断面図である。
【図５Ｅ】本発明の代替実施形態による歯内治療機器の図３と同様の断面図である。
【図５Ｆ】本発明の代替実施形態による歯内治療機器の図３と同様の断面図である。
【図５Ｇ】本発明の代替実施形態による歯内治療機器の図３と同様の断面図である。
【図６】本発明の代替実施形態による図１の歯内治療機器と同様の歯内治療機器の側面図である。
【図７】本発明の代替実施形態による歯内治療機器の側面図である。
【図７Ａ】図７の線７Ａ−７Ａに沿って全体的に取られた断面図である。
【図７Ｂ】図７の線７Ｂ−７Ｂに沿って全体的に取られた断面図である。
【図８Ａ】本発明の代替実施形態による歯内治療機器の図７Ａと同様の断面図である。
【図８Ｂ】本発明の代替実施形態による歯内治療機器の図７Ｂと同様の断面図である。
【図９】本発明の代替実施形態による歯内治療機器の側面図である。
【図９Ａ】図９の線９Ａ−９Ａに沿って全体的に取られた断面図である。
【図９Ｂ】図９の線９Ｂ−９Ｂに沿って全体的に取られた断面図である。
【図１０Ａ】本発明の代替実施形態による歯内治療機器の図９Ａと同様の断面図である。
【図１０Ｂ】本発明の代替実施形態による歯内治療機器の図９Ｂと同様の断面図である。
【図１１】本発明の代替実施形態による歯内治療機器の側面図である。
【符号の説明】
【００５８】
１０  歯内治療機器
１０ａ  歯内治療機器
１０ｂ  歯内治療機器
１０ｃ  歯内治療機器
１０ｄ  歯内治療機器
１０ｅ  歯内治療機器
１０ｆ  歯内治療機器
１０ｇ  歯内治療機器
１１  シャフト
１２  ベースまたは近位端部
１４  点または遠位端部
１６  作業長
１７  シャフト軸
１８  シャンク
２０  切断縁
２２  切断縁
２４  切断縁
２６  溝
２６ａ  凹形表面
２８  溝
２８ａ  凹形表面
３０  溝
３０ａ  凹形表面
３２  誘導縁
３４  誘導縁
３６  後縁
３７  後縁
３８  後縁
４０  ファセット
４２  ファセット
４３  仮想円
４４  ファセット
４６  ファセット
４８  ファセット
５０  ファセット
５２  ファセット
５４  ファセット
６１  初期加工品
６２  誘導縁
６４  誘導縁
６６  誘導縁  溝
６６ａ  凹形表面
６８  溝
６８ａ  凹形表面
７０  切断縁
７１  切断縁
７２  ファセット
７４  ファセット
７６  ファセット
８０  誘導縁
８２  誘導縁
８４  切断縁
８６  切断縁
８８  溝
８８ａ  凹形表面
９０  溝
９０ａ  凹形表面
９２  ファセット
９４  ファセット
９６  ファセット
９８  ファセット
１００  切断縁
１０２  溝
１０２ａ  凹形表面
１０４  誘導縁
１０６  誘導縁
１０８  誘導縁
１１０  誘導縁
１１２  ファセット
１１４  ファセット
１１６  ファセット
１１８  ファセット
１２０  ファセット
１２２  誘導縁
１２４  誘導縁
１２６  誘導縁
１２８  切断縁
１３０  切断縁
１３２  溝
１３２ａ  凹形表面
１３４  溝
１３４ａ  凹形表面
１３６  ファセット
１３８  ファセット
１４０  ファセット
１４２  ファセット
１４４  ファセット
１４６  ファセット
１４８  切断縁
１５０  切断縁
１５２  切断縁
１５４  切断縁
１５６  切断縁
１５８  溝
１５８ａ  凹形表面
１６０  溝
１６０ａ  凹形表面
１６２  溝
１６４  溝
１６６  溝
１６８  誘導縁
１７０  誘導縁
１７２  ファセット
１７４  ファセット
１７６  ファセット
１７８  ファセット
１８０  ファセット
１８２  ファセット
１８４  ファセット
１８６  歯内治療機器
１８８  歯内治療機器
１９０  溝
１９２  溝
１９４  溝
１９６  ファセット
１９８  ファセット
２００  ファセット
２０２  ファセット
２０４  ファセット
２０６  ファセット
２０８  ファセット
２１０  ファセット
２１２  切断縁
２１４  切断縁
２１６  切断縁
２１８  誘導縁
２２０  誘導縁
２２２  誘導縁
２２４  誘導縁
２２６  誘導縁
２２８  誘導縁
２３０  誘導縁
２３２  誘導縁
２３８  歯内治療機器
２４０  溝
２４２  溝
２４４  溝
２４６  ファセット
２４８  ファセット
２５０  ファセット
２５２  ファセット
２５４  ファセット
２５６  ファセット
２５８  ファセット
２６０  ファセット
２６２  切断縁
２６４  切断縁
２６６  切断縁
２６８  誘導縁
２７０  誘導縁
２７２  誘導縁
２７４  誘導縁
２７６  誘導縁
２７８  誘導縁
２８０  誘導縁
２８２  誘導縁
２８８  歯内治療機器
２９０  溝
２９２  溝
２９４  溝
２９６  ファセット
２９８  ファセット
３００  ファセット
３０２  ファセット
３０４  ファセット
３０６  ファセット
３０８  ファセット
３１０  ファセット
３１２  切断縁
３１４  切断縁
３１６  切断縁
３１８  誘導縁
３２０  誘導縁
３２２  誘導縁
３２４  誘導縁
３２６  誘導縁
３２８  誘導縁
３３０  誘導縁
３３２  誘導縁
３３６  作業長
３３８  先細りセクション
３４０  先細りセクション
３４２  先細りセクション
３４４  ゼロ・テーパ・セクション
３５０  誘導縁
３５２  溝
３５２ａ  凹形表面
３５４  切断縁
３５６  湾曲表面
３５８  湾曲表面
３６０  平面表面  歯内治療機器
３６２  切断縁  湾曲表面
３６４  切断縁
３６６  切断縁
３６３  溝
３６５  溝
３６７  溝
３６８  誘導縁
３７０  誘導縁
３７２  誘導縁
３７４  溝  ファセット
３７４ａ  凹形表面
３７６  切断縁  ファセット
３７８  ファセット
３８０  ファセット
３８２  ファセット
３８４  ファセット
３８６  ファセット
３８８  ファセット
３９０  ファセット
３９２  ファセット
【図１】
2008501541.tif 000003
【図２】
2008501541.tif 000004
【図３】
2008501541.tif 000005
【図３Ａ】
2008501541.tif 000006
【図４Ａ】
2008501541.tif 000007
【図４Ｂ】
2008501541.tif 000008
【図５Ａ】
2008501541.tif 000009
【図５Ｂ】
2008501541.tif 000010
【図５Ｃ】
2008501541.tif 000011
【図５Ｄ】
2008501541.tif 000012
【図５Ｅ】
2008501541.tif 000013
【図５Ｆ】
2008501541.tif 000014
【図５Ｇ】
2008501541.tif 000015
【図６】
2008501541.tif 000016
【図７】
2008501541.tif 000017
【図７Ａ】
2008501541.tif 000018
【図７Ｂ】
2008501541.tif 000019
【図８Ａ】
2008501541.tif 000020
【図８Ｂ】
2008501541.tif 000021
【図９】
2008501541.tif 000022
【図９Ａ】
2008501541.tif 000023
【図９Ｂ】
2008501541.tif 000024
【図１０Ａ】
2008501541.tif 000025
【図１０Ｂ】
2008501541.tif 000026
【図１１】
2008501541.tif 000027
【手続補正書】
【提出日】平成17年12月29日(2005.12.29)
【手続補正１】
【補正対象書類名】特許請求の範囲
【補正対象項目名】全文
【補正方法】変更
【補正の内容】
【特許請求の範囲】
【請求項１】
生理学的組織を切断する装置であって、
長手方向軸線、前記長手方向軸線に沿って延びる柔軟で単一の作業長、および前記長手方向軸線の回りに構成された複数の長手方向領域を有する細長いシャフトと、
前記作業長に沿って長手方向に延び、かつ前記生理学的組織を切断するように動作する複数の縁であって、前記複数の縁のそれぞれが、前記長手方向軸線から径方向に距離をおいて位置し、前記複数の縁の少なくとも１つが、前記長手方向に垂直に測定された最大半径を画定し、前記複数の縁の隣接対が、前記複数の長手方向領域の対応する１つによって相接され、前記複数の縁の少なくとも１つが、約−３０°より負のレーキ角度を有し、前記複数の縁の少なくとも１つが、０°に等しい、または０°より正のレーキ角度を有する、複数の縁と、を備え、
前記複数の領域が、前記最大半径に等しい半径を有する仮想円の内部において径方向に位置し、前記複数の縦方向領域のそれぞれおよび前記仮想円によって境界を画定される各間隙の面積が前記仮想円の全面積の半分より小さくなるように、前記複数の縁が構成される装置。
【請求項２】
前記複数の縁の中からの少なくとも２つの縁の前記レーキ角度が、０°に等しい、または０°より正である、請求項１に記載の装置。
【請求項３】
前記少なくとも２つの縁が、等しいレーキ角度を有する、請求項２に記載の装置。
【請求項４】
前記少なくとも２つの縁の前記レーキ角度が正である、請求項２に記載の装置。
【請求項５】
前記少なくとも２つの縁が、等しいレーキ角度を有する、請求項４に記載の装置。
【請求項６】
前記少なくとも２つの縁の前記レーキ角度が０°に等しい、請求項２に記載の装置。
【請求項７】
それぞれが前記作業長に沿って長手方向に延びる複数の溝をさらに備え、前記少なくとも２つの縁のそれぞれが、前記複数の溝の対応する１つと前記複数の領域の１つとの間の交差によって画定される、請求項２に記載の装置。
【請求項８】
前記少なくとも２つの縁が、前記作業長の回りの等しくない周囲角度間隔を特徴とする、請求項２に記載の装置。
【請求項９】
前記等しくない角度間隔が、前記作業長に沿った軸線方向位置の関数として変化する、請求項８に記載の装置。
【請求項１０】
前記複数の縁の少なくとも２つの前記レーキ角度が、約−３０°より小さい、請求項１に記載の装置。
【請求項１１】
前記少なくとも２つの縁が、等しいレーキ角度を有する、請求項１０に記載の装置。
【請求項１２】
前記複数の縁の少なくとも１つが、０°より負であり、かつ約−３０°より正であるレーキ角度を有する、請求項１に記載の装置。
【請求項１３】
前記複数の縁の少なくとも１つが丸い、請求項１に記載の装置。
【請求項１４】
前記複数の縁のそれぞれが、前記長手方向軸線に沿ってほぼ直線に延びる、請求項１に記載の装置。
【請求項１５】
前記複数の縁が、前記長手方向軸線の回りに螺旋に巻かれる、請求項１に記載の装置。
【請求項１６】
約−３０°より負のレーキ角度を有する前記複数の縁の前記少なくとも１つが、前記長手方向軸線に沿ってほぼ直線に延び、０°に等しい、または０°より正のレーキ角度を有する前記複数の縁の前記少なくとも１つが、前記長手方向軸線の回りに螺旋に巻かれる、請求項１に記載の装置。
【請求項１７】
約−３０°より負のレーキ角度を有する前記複数の縁の前記少なくとも１つが、前記長手方向軸線の回りに螺旋に巻かれ、０°に等しい、または０°より正のレーキ角度を有する前記複数の縁の前記少なくとも１つが、前記長手方向軸線に沿ってほぼ直線に延びる、請求項１に記載の装置。
【請求項１８】
約−３０°より負のレーキ角度を有する前記複数の縁の前記少なくとも１つが、前記長手方向軸線の回りに螺旋に巻かれ、０°に等しい、または０°より正のレーキ角度を有する前記複数の縁の前記少なくとも１つが、前記長手方向軸線の回りに螺旋に巻かれ、それぞれが異なるピッチを特徴とする、請求項１に記載の装置。
【請求項１９】
０°に等しい、または０°より正のレーキ角度を有する前記複数の縁の前記少なくとも１つが、前記長手方向軸線の回りに螺旋に巻かれ、可変ピッチを特徴とする、請求項１に記載の装置。
【請求項２０】
０°に等しい、または０°より正のレーキ角度を有する前記複数の縁の前記少なくとも１つが、前記作業長の第１部分に沿って延びる、請求項１に記載の装置。
【請求項２１】
約−３０°より負のレーキ角度を有する前記複数の縁の前記少なくとも１つが、作業長全体に沿って延びる、請求項２０に記載の装置。
【請求項２２】
前記作業長が、それぞれがテーパを有する複数のセクションを含む、請求項２１に記載の装置。
【請求項２３】
柔軟材料から成り、かつ長手方向軸線を有する加工片から、生理学的組織切断機器を作製する方法であって、
前記加工品の回りの周囲に構成される複数の長手方向に延びる表面を前記加工品の柔軟材料に形成し、
隣接表面の各対が、約−３０°より負のレーキ角度を特徴とする複数の第１縁の対応する１つにおいて遭遇し、前記長手方向に延びる表面が形成された後、前記加工品にランドがないことと、
１つまたは複数の溝を前記加工品において形成し、前記溝のそれぞれが、０°に等しい、または０°より正のレーキ角度を特徴とする第２縁を画定することを備える、方法。
【請求項２４】
前記１つまたは複数の溝を形成する前に、前記加工品が、前記長手方向軸線と平行に見てほぼ多角形の断面プロファイルを有する、請求項２３に記載の方法。
【請求項２５】
前記加工品が、３角形、４角形、５角形、６角形、７角形、および８角形からなるグループから選択された断面プロファイルを有する、請求項２３に記載の方法。
【請求項２６】
前記１つまたは複数の溝が、前記複数の長手方向に延びる表面と同時に形成される、請求項２３に記載の方法。
【請求項２７】
前記１つまたは複数の溝が、前記複数の長手方向に延びる表面が形成された後に形成される、請求項２３に記載の方法。
【請求項２８】
前記１つまたは複数の溝が、前記複数の長手方向に延びる表面が形成される前に形成される、請求項２３に記載の方法。
【請求項２９】
前記長手方向に延びる表面のそれぞれが、前記長手方向軸線に平行な断面において見るとき、少なくとも１つの曲線を含む、請求項２３に記載の方法。
【請求項３０】
前記１つまたは複数の溝を形成する前に、前記加工品が、前記長手方向軸線と平行に見て、ほぼ卵形の断面プロファイルを有する、請求項２９に記載の方法。
【請求項３１】
前記加工品が、３つ以上の第１縁および第２縁をもたらす、前記長手方向軸線と平行に見て、修正された卵形断面プロファイルを有する、請求項３０に記載の方法。
【国際調査報告】
2008501541.tif 000028
2008501541.tif 000029
2008501541.tif 000030